(57)【要約】【課題】フィルタモジュールにおいて簡単な構成で反射ポートの抑圧比を改善すること。【解決手段】キャピラリ１１の中心軸から等距離に４つの光ファイバ１２〜１５の端部を固定する。そしてレンズ１６を介してレンズ端部にフィルタ１７を貼り付ける。光ファイバ１３，１４の他端を接続する。こうすれば光ファイバ１２からの光はフィルタで反射され、光ファイバ１３，１４を介してフィルタに入射され、その反射光が光ファイバ１５から再び得られる。フィルタ１７で２回反射させることによって、抑圧比を２倍にすることができる。【選択図】図１
2005283727.tif 000002
【特許請求の範囲】
【請求項１】
入射用の光ファイバと、
反射出力用の光ファイバと、
偶数本の連結用の光ファイバと、
中心軸に平行で端面から見て中心点からいずれも等距離で中心点に対して点対称であって、且つ前記入射用の光ファイバの端部と反射出力用の光ファイバの端部とが互いに点対称でない位置に前記光ファイバの少なくとも４つの偶数の端部を保持する第１のキャピラリと、
前記第１のキャピラリの中心軸と光軸を一致させた第１のコリメートレンズと、
前記第１のコリメートレンズの焦点位置に配置された干渉フィルタと、を具備し、
前記第１のキャピラリの互いに点対称でない位置に一端が保持されている前記連結用光ファイバの他端を連結するようにしたことを特徴とするフィルタモジュール。
【請求項２】
入射用の光ファイバと、
反射出力用の光ファイバと、
少なくとも１本の連結用の光ファイバと、
中心軸に平行で端面から見て中心点からいずれも等距離で中心点に対して点対称であって、前記入射用の光ファイバの端部と反射出力用の光ファイバの端部とは互いに点対称でない位置に、且つ前記連結用光ファイバの両端は互いに点対称でない位置に、前記入射用及び反射出力用の光ファイバの一端と前記連結用光ファイバの両端部を保持する第１のキャピラリと、
前記第１のキャピラリの中心軸と光軸を一致させた第１のコリメートレンズと、
前記第１のコリメートレンズの焦点位置に配置された干渉フィルタと、を具備することを特徴とするフィルタモジュール。
【請求項３】
前記フィルタモジュールは、
前記干渉フィルタを中心とし、前記第１のコリメートレンズと対称な位置に設けられる第２のコリメートレンズと、
前記干渉フィルタを中心とし、前記第１のキャピラリと対称な位置に設けられる第２のキャピラリと、
前記第２のキャピラリに保持され、前記干渉フィルタを透過して前記第２のコリメートレンズで集束された光が加えられる分波用の光ファイバと、を更に具備することを特徴とする請求項１又は２記載のフィルタモジュール。
【請求項４】
前記フィルタモジュールは、前記第２のキャピラリに保持され、前記第２のコリメートレンズ及び前記干渉フィルタを介して前記反射出力用の光ファイバに向けて光を出射する合波用の光ファイバを更に具備することを特徴とする請求項３記載のフィルタモジュール。
【請求項５】
前記干渉フィルタは、多層膜干渉フィルタであることを特徴とする請求項１〜４のいずれか１項記載のフィルタモジュール。
【請求項６】
前記干渉フィルタは、特定波長を透過するバンドパスフィルタであることを特徴とする請求項５記載のフィルタモジュール。
【請求項７】
前記干渉フィルタは、ハイパス型又はローパス型のエッジフィルタであることを特徴とする請求項５記載のフィルタモジュール。
【発明の詳細な説明】
【技術分野】
【０００１】
本発明は波長多重光通信における光信号を合分波するフィルタモジュールに関するものである。
【背景技術】
【０００２】
波長多重光通信システムにおいては、様々な光フィルタを用いて波長多重された光信号を合分波して、異なる波長帯域の光信号を効率よく伝送する。従って光ノードや送受信器モジュール等において、特定波長やある波長帯域の合分波フィルタを用いて異なる信号波長は帯域を十分に抑圧したり、又は消光比よく２つの光路や出力ポートに分離できるようにすることが必要となる。
【０００３】
このような光ノードにおいては、一般的に多層膜干渉フィルタを用いた３ポート型光フィルタモジュールが合分波モジュールとして汎用的に用いられる（特許文献１）。図１４は３ポート型光フィルタモジュールの基本構成を示す図である。３ポート型のフィルタモジュールは、多層膜干渉フィルタの透過光をコリメートレンズで各ファイバポートに結合するように配置、調整、固定される。図１４において、２本のファイバ１０１，１０２をキャピラリ１０３に保持し、キャピラリ１０３の一端にキャピラリと同軸にコリメートレンズ１０４を取付ける。コリメートレンズ１０４の他端には図示のようにバンドパスフィルタ１０５を配置する。そして入力ポートの光ファイバ１０１からの入射光がフィルタ１０５で反射されて反射出力ポートで結像し、光ファイバ１０２から出射されるように、ファイバ端、コリメートレンズ、フィルタを調整する。
【０００４】
透過光に対しては反対側にもう１つのコリメートレンズ１０６を置き、それによって集光される位置に、同様にしてキャピラリ１０７によりドロップポートのファイバ１０８を保持する。こうすれば光ファイバ１０１から入射する光信号を波長多重光信号とすると、多重光のうちの特定の波長がフィルタ１０５を透過し、透過光は光ファイバ１０８に導かれる。反射した光は反射出力ポート用の光ファイバ１０２に導かれることとなる。
【０００５】
又ＦＦＴＨ（Ｆｉｂｅｒ−Ｔｏ−Ｔｈｅ−Ｈｏｍｅ）等の加入者系パッシブ光ネットワークでは、下り方向のデータ信号を１．５５μ帯、下り方向のアナログビデオ信号を１．４９μ帯に、加入者側からの上り方向のデータ信号を１．３μ帯に割り当てる。このとき加入者側では、フィルタモジュールによって受光する信号光を分波し、送信する信号光を合波することが必要となる。このようなフィルタモジュールは例えば図１５に示すように、１段目に３ポート型の光フィルタモジュール１１１で１．３μ帯と１．４９μ帯の２つの帯域を１．５５μ帯から分離し、２段目のフィルタモジュール１１２で１．３μ帯と１．４９μ帯を分離する構成をとる。フィルタモジュール１１１の反射ポートに１．５５μ帯の受信用フォトディテクタ１１３、フィルタモジュール１１２の入力ポートに１．３μ帯の送信用レーザモジュール１１４、透過ポートに１．４９μ帯の受信用フォトディテクタ１１５を接続し、上下方向の送受信とデータの種類により分離する。フィルタモジュールには１段目に１．３μ帯と１．４９μ帯とを透過するバンドパスフィルタを用いてもよく、１．４９μ帯より長波側を反射するローパスフィルタを用いてもよい。この後段では１．４９μ帯を透過するバンドパスフィルタを用いる。そうすれば２段目の反射ポートから１．３μ帯のレーザモジュールの信号が上り方向に結合される。
【特許文献１】特開２００１−２２１９２８号公報
【発明の開示】
【発明が解決しようとする課題】
【０００６】
しかし従来の干渉フィルタを用いた３ポート型光フィルタモジュールでは、干渉フィルタの性能的限界から反射ポート側の透過帯域抑圧比が十分にとれなかった。例えばバンドパスフィルタでは１５ｄＢ程度、エッジフィルタでは２５ｄＢ程度であった。この抑圧比を改善するために、例えばフィルタモジュールの反射ポートの後段に更にノッチフィルタを挿入して、抑圧比を改善する対策がとられていた。しかしこれでは、部品点数や設置面積が増えてしまう。メトロシステムや加入者系のシステムでは、小型化、低価格化が望まれているが、従来のフィルタモジュールではシステム構成が効率的でなく、且つ採算がとれないという問題があった。
【０００７】
本発明はこのような従来の問題点に着目してなされたものであり、１つのフィルタを用いて透過帯域の抑圧比を向上させ、このような問題点を解決することを目的とする。
【課題を解決するための手段】
【０００８】
この課題を解決するために、本発明のフィルタモジュールは、入射用の光ファイバと、反射出力用の光ファイバと、偶数本の連結用の光ファイバと、中心軸に平行で端面から見て中心点からいずれも等距離で中心点に対して点対称であって、且つ前記入射用の光ファイバの端部と反射出力用の光ファイバの端部とが互いに点対称でない位置に前記光ファイバの少なくとも４つの偶数の端部を保持する第１のキャピラリと、前記第１のキャピラリの中心軸と光軸を一致させた第１のコリメートレンズと、前記第１のコリメートレンズの焦点位置に配置された干渉フィルタと、を具備し、前記第１のキャピラリの互いに点対称でない位置に一端が保持されている前記連結用光ファイバの他端を連結するようにしたことを特徴とするものである。
【０００９】
又、本発明のフィルタモジュールは、入射用の光ファイバと、反射出力用の光ファイバと、少なくとも１本の連結用の光ファイバと、中心軸に平行で端面から見て中心点からいずれも等距離で中心点に対して点対称であって、前記入射用の光ファイバの端部と反射出力用の光ファイバの端部とは互いに点対称でない位置に、且つ前記連結用光ファイバの両端は互いに点対称でない位置に、前記入射用及び反射出力用の光ファイバの一端と前記連結用光ファイバの両端部を保持する第１のキャピラリと、前記第１のキャピラリの中心軸と光軸を一致させた第１のコリメートレンズと、前記第１のコリメートレンズの焦点位置に配置された干渉フィルタと、を具備することを特徴とするものである。
【００１０】
ここで前記フィルタモジュールは、前記干渉フィルタを中心とし、前記第１のコリメートレンズと対称な位置に設けられる第２のコリメートレンズと、前記干渉フィルタを中心とし、前記第１のキャピラリと対称な位置に設けられる第２のキャピラリと、前記第２のキャピラリに保持され、前記干渉フィルタを透過して前記第２のコリメートレンズで集束された光が加えられる分波用の光ファイバと、を更に具備するようにしてもよい。
【００１１】
ここで前記フィルタモジュールは、前記第２のキャピラリに保持され、前記第２のコリメートレンズ及び前記干渉フィルタを介して前記反射出力用の光ファイバに向けて光を出射する合波用の光ファイバを更に具備するようにしてもよい。
【００１２】
ここで前記干渉フィルタは、多層膜干渉フィルタとしてもよい。
【００１３】
ここで前記干渉フィルタは、特定波長を透過するバンドパスフィルタとしてもよい。
【００１４】
ここで前記干渉フィルタは、ハイパス型又はローパス型のエッジフィルタとしてもよい。
【発明の効果】
【００１５】
このような特徴を有する本発明によれば、入射用の光ファイバから入射した光を同一の干渉フィルタによって２回以上反射させることができる。従って１回の反射に比べて同一のレンズ、干渉フィルタを用いて透過帯域の抑圧比を［ｄＢ］表示で２以上の整数倍にすることができ、小型で追加部品なく抑圧比を向上させることができるという優れた効果が得られる。
【発明を実施するための最良の形態】
【００１６】
図１は本発明の第１の実施の形態によるフィルタモジュールの構成を示す斜視図である。図１において、キャピラリ１１はその円柱形の部材であって、その中心軸に平行で且つ中心軸に対称に４本の光ファイバ１２〜１５を中心から一定距離に均等に保持するものである。例えばシングルモード光ファイバの場合には、クラッドの外周部の径を１２５μｍとすると、中心から対称な位置に４つの１２５μｍ径の貫通孔を均等に開口し、そこに４本の光ファイバ１２〜１５を挿入するものとする。図２はキャピラリ１１の端面から見た光ファイバの配置状態を示す図である。ここで光ファイバ１２〜１５を夫々ポートＡ，Ｂ，Ｃ，Ｄとする。ポートＡ，Ｃの位置を中心に対して対称な位置とし、ポートＢ，Ｄの位置を中心に対して対称とする。光ファイバ１２は入力ポートＡに光を導く光ファイバとし、光ファイバ１５を反射出力ポートＤからの光を出射する光ファイバとする。光ファイバ１３，１４は反射光の連結用光ファイバとする。一般的には、キャピラリの中心軸に平行で端面から見て中心点からいずれも等距離で中心点に対して点対称であって、且つ入射用の光ファイバの端部と反射出力用の光ファイバの端部とが互いに点対称でない位置に、光ファイバの少なくとも４つの偶数の端部を保持する。
【００１７】
このように光ファイバを保持し、端面を鏡面研磨したキャピラリ１１をレンズ、例えば屈折率分布型のＧＲＩＮレンズ１６の焦点位置で且つ光軸の中心に配置する。ここでキャピラリ１１はその端面を中心軸に垂直でなく、わずかに傾けて端面からの反射を防止することが好ましい。次に端部が互いに対称の位置に保持されていない２本の連結用の光ファイバ、即ちポートＢ，Ｃの光ファイバ１３，１４の他端をファイバ融着で接続する。そしてこのＧＲＩＮレンズ１６の他方の端面にフィルタ１７を垂直に配置する。ＧＲＩＮレンズ１６の場合には、レンズの端面が焦点位置となる。そこであらかじめフィルタ１７をレンズの他方の端面に貼り合わせ、又は端面に鏡面反射体を形成する。そしてその反射を利用して入力ポートＡと反射出力ポートＤの間の光の挿入損失が最小となるように、キャピラリ１１とＧＲＩＮレンズ１６との光軸を調整し、最低となった位置で接着して固定する。又これと同様にしてキャピラリ１８の中心軸に平行で中心から一定距離の位置に貫通孔を設けて１本の光ファイバ１９を同様にして接着する。この位置は前述したキャピラリ１１とポートＣとの位置関係に等しく、フィルタ１７を透過した光を受光する位置とする。図３はキャピラリ１８の端面から見た光ファイバ１９の位置を示している。光ファイバ１９の位置は光ファイバ１４の位置に相当する。そしてこのキャピラリ１８をＧＲＩＮレンズ２０の先端に固定する。そして図４に示すように、ＧＲＩＮレンズ２０をフィルタ１７の他端に接着する。
【００１８】
ここでフィルタ１７は多層膜の干渉フィルタとし、波長多重光のうちの所定の波長の光信号のみを透過し、他の波長の光を反射するバンドパスフィルタとする。これによって光ファイバ１２を入射用光ファイバ、光ファイバ１５を反射出力用光ファイバ、光ファイバ１９をドロップ（分波）用光ファイバとする３ポート型のフィルタモジュールを構成することができる。又キャピラリ１８、光ファイバ１９とレンズ２０を除いて、２ポート型のフィルタモジュールを構成することもできる。フィルタ１７としてある波長より短い波長の光を透過するハイパス型のエッジフィルタ、又はある波長より長い波長の光を透過するローパスフィルタ型のエッジフィルタを用いてもよい。
【００１９】
さてこの状態で入力ポートＡの光ファイバ１２から波長多重光を光ファイバモジュールに導く。そうすれば図５に示すように光ファイバ１２の端面より出射した光はＧＲＩＮレンズ１６の端面で焦点を結び、フィルタ１７に入射する。フィルタ１７を透過した光はＧＲＩＮレンズ２０を介してフィルタを中心として対称な位置の光ファイバ１９に入射することとなり、透過光が光ファイバ１９に得られる。フィルタ１７で反射された光は同じＧＲＩＮレンズ１６を介して出力ポートＣに入射される。出力ポートＣの光ファイバ１４に得られた反射光は融着されている光ファイバ１３を通って再びキャピラリ１１の端面よりＧＲＩＮレンズ１６に出射される。そしてＧＲＩＮレンズ１６で集光された光はフィルタ１７の端面で焦点を結び、その反射光が反射出力ポートＤの光ファイバ１５に得られることとなる。こうすればファイバポート間がＡ−Ｃ−Ｂ−Ｄの順序で接続され、２回反射が実現することとなる。
【００２０】
そしてファイバ端面の位置が中心点から等距離で対称であるため、フィルタ１７への２回の入射の入射角は等しく、角度の違いによる波長ずれはない。そのため２回反射させることにより、結果的に抑圧比を１回の反射の抑圧比Ｘに比べて、Ｘ２に改善することができる。これはログスケール、即ち［ｄＢ］表示では２Ｘに改善することができる。反射ポートの結合損失に関しても、キャピラリの加工精度がファイバ間の相対位置精度としてサブミクロンオーダーであれば、２回反射しても０．４〜５ｄＢ以下と低い値が得られる。前述したように、ＦＴＴＨのエッジフィルタでは、１．４９μ帯の反射側での抑圧比（アイソレーション）がフィルタ単体では例えば２５ｄＢが限界であるのに対して、２回反射によって図６に示すように倍の５０ｄＢに改善することができる。そのため下りのビデオ信号とデータ信号同士のクロストークによるＳ／Ｎ比が改善し、通信品質を従来より安価に、小型に改善、維持できる。又システム設計上の光強度ダイナミックレンジに余裕度を持たせることもできるという利点が生じる。
【００２１】
尚、この実施の形態ではキャピラリ１１に４本に光ファイバを保持するようにしているが、入射用の光ファイバ１２と反射出力用の光ファイバ１５に加えて、連結用の１本の光ファイバを用いてもよい。この場合にはあらかじめ連結用の光ファイバの両端をポートＢ，ポートＣの位置に折り曲げてキャピラリ１１中に挿入して接続する。一般的には、キャピラリの中心軸に平行で端面から見て中心点からいずれも等距離で中心点に対して点対称であって、入射用の光ファイバの端部と反射出力用の光ファイバの端部とは互いに点対称でない位置に、且つ連結用光ファイバの両端は互いに点対称でない位置に、入射用及び反射出力用の光ファイバの一端と連結用光ファイバの両端部を保持する。こうすれば光ファイバ１３，１４の他端を融着させて接続する必要がなく、ポートＣに得られた光をポートＢから再びレンズ１６に向けて出射することができる。この場合は融着の作業が不要で、融着による損失がなくなるという効果がある。
【００２２】
又、この実施の形態では図１，図２に示すようにキャピラリ１６に光ファイバを貫通させる貫通孔を設けているが、図７に示すようにキャピラリ１１に４本の光ファイバを挿入できる正方形の貫通孔２１を設け、光ファイバ１２〜１５を密に挿入するようにしてもよい。
【００２３】
次に本発明の第２の実施の形態について説明する。前述した実施の形態では、４本の光ファイバをキャピラリに保持するようにしているが、図８に示すように６本に光ファイバ２２〜２７をキャピラリ１１に保持するようにしてもよい。この場合にはいずれか１本の光ファイバ、例えば光ファイバ２２を入射用の光ファイバとし、キャピラリの端面から見て非対称の４本の光ファイバから成る２組の光ファイバの夫々端部を融着することによって連結する。例えば光ファイバ２３と２４の端部の間、及び２５と２６の端部を融着する。そして他の１本の光ファイバ、即ち光ファイバ２７を最終の反射光を出射する反射出力用の光ファイバとする。その他の構成は実施の形態１と同様であり、キャピラリ１１にＧＲＩＮレンズ１６を設け、フィルタ１７を配置する。透過側の構成についても実施の形態１と同様である。
【００２４】
こうすれば１つのフィルタを用いて３回の反射が実現されることとなって同じ帯域の波長の光の抑圧比を１回の反射の抑圧比Ｘに比べて、Ｘ３に改善することができる。これはログスケール、即ち［ｄＢ］表示では３Ｘに向上させることができる。この場合にも２組の光ファイバの端部を融着させる代わりに２本の連結用光ファイバを用いて非対称の位置に配置するようにしてもよい。更に光ファイバは６本でなく、偶数本の任意の数の光ファイバを用いて、反射回数ｎとすれば、抑圧比をＸｎに、ログスケールではｎ・Ｘと１回の反射に比べ２以上の整数倍の抑圧比が得られる。
【００２５】
次に本発明の第３の実施の形態について説明する。図９は第３の実施の形態による合分波型のフィルタモジュールの組立状態を示す斜視図、図１０はフィルタモジュールの側面図である。本図においてキャピラリ１１、光ファイバ１２〜１５、ＧＲＩＮレンズ１６、フィルタ１７の構成は前述した第１の実施の形態と同様である。本実施の形態では、キャピラリ１８に図９に示すように２つの光ファイバ３１，３２を挿入する。この場合にも図１１に端面図を示すように、キャピラリ１８の中心軸に平行で中心から所定距離離れた位置に、キャピラリ１１と同様に４つの貫通孔を形成する。そしてキャピラリ１１のポートＡ〜Ｄに夫々光学的に連結されるポートをＡ’〜Ｄ’とすると、ポートＡ’，Ｄ’に相当する貫通孔に２本の光ファイバ３１，３２を挿入する。キャピラリ１８の他の貫通孔には、調整のためにダミーの光ファイバを挿入しておく。光ファイバ３１は光ファイバ１２から出射され、フィルタ１７を透過した光をＧＲＩＮレンズ２０を介して受光するドロップ（分波）用の光ファイバである。光ファイバ３２は透過した波長と同一の光を出射し、新たな光信号を加えるためのアド（合波）用の光ファイバであり、入射光をフィルタ１７を介して最終の反射出力用の光ファイバ１５に入光できる位置に配置される。
【００２６】
又反射側のキャピラリ１１と透過側のキャピラリ１８はあらかじめ夫々のＧＲＩＮレンズ１６，２０に対して、光軸中心を合わせておく。そして図１２に示すように、中心軸と平行なスリットを側面に有する円筒形のスリーブ３３に両端からＧＲＩＮレンズ１６、キャピラリ１１とＧＲＩＮレンズ２０、キャピラリ１８を挿入する。こうすることによって、レンズの外形を基準にしてレンズの光軸を平行にするように、キャピラリ１１，１８を接続することができる。つまりアライメント時のＸ、Ｙ、θｘ、θｙ方向の調整が必要なくなり、透過光の結合損失はθｚ方向、即ちレンズの回転方向、及び光軸のＺ方向への調整だけで結合の調整をすることができる。フィルタ１７の厚みがあるために光ビームのオフセット量による結合時のミスアライメントがあるが、フィルタ厚を１ｍｍだとしてもミスアライメントによる損失増加分は０．３ｄＢ程度と低い値に抑えられる。
【００２７】
さてこの状態で入力ポートＡの光ファイバ１２から波長多重光を光ファイバモジュールに導く。そうすれば光ファイバ１２の端面より出射した光はレンズ１６の端面で焦点を結び、フィルタ１７に入射する。この場合にも第１の実施の形態と同様に、２回の反射によって抑圧比を倍にすることができる。図１３はフィルタ１７にバンドパスフィルタを用いた場合に１回の反射（Ｒ１）と２回の反射（Ｒ２）による反射率の相違を示すグラフである。この図から明らかなように、２回の反射による曲線Ｒ２では抑圧比が大幅に改善されることが示されている。このため、光ファイバ３２のアドポートから入射したアド（分波）信号が反射出力ポートの反射信号での残留成分と干渉するコヒーレントクロストークを、１つのモジュールで３０ｄＢに抑えることができる。更に、アド用の光ファイバ３２とドロップ用の光ファイバ３１は、キャピラリ１８の中心軸に対して対角線上の対ではない。即ち結像関係にないので、アドポートから入った信号光がフィルタ１７に入射したときに生じる散乱光、あるいは反射帯域成分が光ファイバ３１にドロップ信号としてはほとんど表れず、ノイズ光を極力低減することができる。
【００２８】
この実施の形態においてもキャピラリ１１側に図８に示すように６本の光ファイバを用いて３回の反射によって抑圧比を更に改善することができる。
【００２９】
尚前述した各実施の形態においては、レンズとして屈折率が分布しているＧＲＩＮレンズについて説明したが、通常のコリメートレンズを用いても本発明を実現することができることはいうまでもない。
【産業上の利用可能性】
【００３０】
本発明は多芯のキャピラリを用いて４つ以上の光ファイバ端部を保持し入力用光ファイバから干渉フィルタに入射することにより、１つの干渉フィルタで複数回反射させることができるので、抑圧比の高い分波及び合波の行えるフィルタモジュールを提供することができる。従ってＷＤＭ通信システムのノードや、加入者系の光ネットワークのノードだけでなく、波長で光を分波、合波する種々の装置に使用することができる。
【図面の簡単な説明】
【００３１】
【図１】本発明の第1の実施の形態によるフィルタモジュールの組立状態を示す斜視図である。
【図２】本実施の形態によるキャピラリ１１の端部から見た光ファイバの配置を示す図である。
【図３】本実施の形態によるキャピラリ１８の端部から見た光ファイバの配置を示す図である。
【図４】本実施の形態によるフィルタモジュールの全体構成を示す側面図である。
【図５】本実施の形態のＧＲＩＮレンズ１６での光の経路を示す拡大図である。
【図６】本実施の形態による反射光の抑圧比を示すグラフである。
【図７】本実施の形態の他の例によるキャピラリから見た光ファイバの配置を示す図である。
【図８】本発明の第２の実施の形態によるフィルタモジュールのキャピラリ端部の光ファイバの配置を示す図である。
【図９】本発明の第３の実施の形態による合分波型のフィルタモジュールの組立状態を示す斜視図である。
【図１０】本実施の形態によるフィルタモジュールの全体構成を示す側面図である。
【図１１】本実施の形態によるフィルタモジュールのフィルタの固定方法を示す斜視図である。
【図１２】本実施の形態によるフィルタモジュールのキャピラリ１８での光フィルタを示す図である。
【図１３】本実施の形態によるフィルタモジュールの反射抑圧比を示すグラフである。
【図１４】従来の３ポート型フィルタモジュールを示す図である。
【図１５】従来の３ポート型光フィルタモジュールを用いたＦＦＴＨの合分波器の構成を示す図である。
【符号の説明】
【００３２】
１１，１８キャピラリ
１２〜１５，１９，３１，３２  光ファイバ
１６，２０  ＧＲＩＮレンズ
１７  フィルタ
３３  スリーブ
【図１】
2005283727.tif 000003
【図２】
2005283727.tif 000004
【図３】
2005283727.tif 000005
【図４】
2005283727.tif 000006
【図５】
2005283727.tif 000007
【図６】
2005283727.tif 000008
【図７】
2005283727.tif 000009
【図８】
2005283727.tif 000010
【図９】
2005283727.tif 000011
【図１０】
2005283727.tif 000012
【図１１】
2005283727.tif 000013
【図１２】
2005283727.tif 000014
【図１３】
2005283727.tif 000015
【図１４】
2005283727.tif 000016
【図１５】
2005283727.tif 000017